(57)【要約】【課題】受信したメールの文字と、クローズドキャプションの文字とが、画面上で重ならないように表示することのできるメール受信機能付きディジタル画像受信装置を提供すること。【解決手段】クローズドキャプションの表示位置を検出する手段と、メールの受信を検出する手段と、クローズドキャプションの表示位置と受信メールの表示位置とを重ならないようにする表示制御手段と、クローズドキャプションの文字と受信メールの文字のいずれを優先表示するかを視聴者に選択させる手段を有するメール受信機能付きディジタル画像受信装置を提供する。さらに、クローズドキャプションの表示色と受信メールの表示色を異なるように表示させる手段を有するメール受信機能付きディジタル画像受信装置を提供する。【選択図】  図１
2008135910.tif 000002
【特許請求の範囲】
【請求項１】
ディジタルテレビ放送画像を表示する表示手段、
当該表示手段におけるクローズドキャプションデータの表示位置を検出する表示位置検出部を有するクローズドキャプション制御手段、
メールを受信し検出するメール検出手段、
当該メール検出手段からのデータを処理してメールの内容を当該表示手段に文字として表示するようにしたメール処理手段、及び
表示位置制御部を備えた、当該表示手段に文字を表示する表示制御手段、
を有するメール受信機能付きディジタル画像受信装置であって、
さらに、クローズドキャプションの文字とメールの文字のいずれかを優先表示するかを画像受信装置の視聴者が選択できる優先表示選択手段を有し、
当該優先表示選択手段によって選択された表示優先選択に基づいて、当該表示制御手段がクローズドキャプションの文字とメールの文字を、相互に重なることなく、当該表示手段に表示できるようにした上記メール受信機能付きディジタル画像受信装置。
【請求項２】
ディジタルテレビ放送画像を表示する表示手段、
当該表示手段におけるクローズドキャプションデータの表示位置及び表示色を検出する表示位置及び表示色検出部を有するクローズドキャプション制御手段、
メールを受信し検出するメール検出手段、
当該メール検出手段からのデータを処理してメールの内容を当該表示手段に文字として表示するようにしたメール処理手段、及び
表示位置及び表示色制御部を備えた、当該表示手段に文字を表示する表示制御手段、
を有するメール受信機能付きディジタル画像受信装置であって、
さらに、クローズドキャプションの文字とメールの文字のいずれかを優先表示するかを画像受信装置の視聴者が選択できる優先表示選択手段を有し、
当該優先表示選択手段によって選択された表示優先選択に基づいて、当該表示制御手段が、クローズドキャプションの文字とメールの文字を、相互に重なることなく、かつ、異なる色で当該表示手段に表示できるようにした上記メール受信機能付きディジタル画像受信装置。
【請求項３】
当該優先表示選択手段によってクローズドキャプションの文字が優先表示選択された場合、当該表示制御手段がメールの文字の表示を禁止して、受信メールの存在を表示できるようにした請求項1または2に記載のメール受信機能付きディジタル画像受信装置。
【発明の詳細な説明】
【技術分野】
【０００１】
本発明は、メール受信機能付きディジタル画像受信装置に関し、特にクローズドキャプションの文字とメールの文字を相互に重なることなく表示できるようにしたメール受信機能付きディジタル画像受信装置に関する。
【背景技術】
【０００２】
ディジタル画像受信装置については、従来から難聴者の視聴を快適にするために、音声と同じ内容を文字情報にして画面上に表示するクローズドキャプションの表示機能を有するものが一般的であった。ところが、このクローズドキャプションの文字と、画像データとしての映画の日本語字幕などの文字とが画面上に重なって表示されるという不都合があった。この不都合を解消するためにさまざまな工夫が考案されているが、例えば特許文献１は、予め作成した変換プログラムに基づいて、クローズドキャプションの表示位置を固定することにより、クローズドキャプションの文字と、日本語字幕などの文字との重なりを回避するようにしている。また特許文献２は、クローズドキャプションの文字の画面上の表示位置と、日本語字幕などの文字の画面上の表示位置を制御することにより、クローズドキャプションの文字と、日本語字幕などの文字との重なりを回避するようにしている。
【０００３】
特許文献１、特許文献２などにより、クローズドキャプションの文字と、日本語字幕などの文字との重なりは回避されるようになったが、近年では、メールの受信を可能にして、受信したメールの文字を当該画面上に表示するようにした受信メールの表示機能を併せ有するディジタル画像受信装置が普及するようになってきた。例えば特許文献３は、新規のメールを受信すると、画面上に当該受信メールの文字を表示するようにしたディジタル画像受信装置を開示している。
【０００４】
しかしながら、受信したメールの文字と、クローズドキャプションの文字とが画面上に重なって表示されるという新たな不都合については、上記の特許文献１、特許文献２、特許文献３などによっても、相変わらず未解決のまま放置されている。
【０００５】
【特許文献１】特開平６−１６５１３９号公報
【特許文献２】特開平１１−１６８７０２号公報
【特許文献３】特開２００１−１９７３８５号公報
【発明の開示】
【発明が解決しようとする課題】
【０００６】
そこで、本発明は、受信したメールの文字と、クローズドキャプションの文字とが画面上で重ならないように表示することを可能にした、メール受信機能付きディジタル画像受信装置を提供することを目的とする。さらに本発明は、メールの文字と、クローズドキャプションの文字について、どちらを優先して画面上に表示させるかを視聴者に選択できるようにした、メール受信機能付きディジタル画像受信装置を提供することを目的とする。さらに本発明は、受信したメールの文字と、クローズドキャプションの文字との画面上の表示位置の重なりを防止するのみならず、それぞれの文字の色を互いに異なる色で画面上に表示させるようにした、メール受信機能付きディジタル画像受信装置を提供することを目的とする。
【課題を解決するための手段】
【０００７】
本発明のメール受信機能付きディジタル画像受信装置は、ディジタルテレビ放送画像を表示する表示手段、当該表示手段におけるクローズドキャプションデータの表示位置を検出する表示位置検出部を有するクローズドキャプション制御手段、メールを受信し検出するメール検出手段、当該メール検出手段からのデータを処理してメールの内容を当該表示手段に文字として表示するようにしたメール処理手段、及び表示位置制御部を備えた、当該表示手段に文字を表示する表示制御手段、を有するメール受信機能付きディジタル画像受信装置であって、さらに、クローズドキャプションの文字とメールの文字のいずれかを優先表示するかを画像受信装置の視聴者が選択できる優先表示選択手段を有し、当該優先表示選択手段によって選択された表示優先選択に基づいて、当該表示制御手段がクローズドキャプションの文字とメールの文字を、相互に重なることなく、当該表示手段に表示できるようにしたことを特徴とするメール受信機能付きディジタル画像受信装置である。
【０００８】
さらに本発明のメール受信機能付きディジタル画像受信装置は、ディジタルテレビ放送画像を表示する表示手段、当該表示手段におけるクローズドキャプションデータの表示位置及び表示色を検出する表示位置及び表示色検出部を有するクローズドキャプション制御手段、メールを受信し検出するメール検出手段、当該メール検出手段からのデータを処理してメールの内容を当該表示手段に文字として表示するようにしたメール処理手段、及び
表示位置及び表示色制御部を備えた、当該表示手段に文字を表示する表示制御手段、を有するメール受信機能付きディジタル画像受信装置であって、さらに、クローズドキャプションの文字とメールの文字のいずれかを優先表示するかを画像受信装置の視聴者が選択できる優先表示選択手段を有し、当該優先表示選択手段によって選択された表示優先選択に基づいて、当該表示制御手段が、クローズドキャプションの文字とメールの文字を、相互に重なることなく、かつ、異なる色で当該表示手段に表示できるようにしたことを特徴とするメール受信機能付きディジタル画像受信装置である。
【０００９】
さらに本発明のメール受信機能付きディジタル画像受信装置は、当該優先表示選択手段によってクローズドキャプションの文字が優先表示選択された場合、当該表示制御手段がメールの文字の表示を禁止して、受信メールの存在を表示できるようにしたことを特徴とするメール受信機能付きディジタル画像受信装置である。
【発明の効果】
【００１０】
本発明のメール受信機能付きディジタル画像受信装置によれば、ディジタル画像を視聴中にメールを受信した場合、受信したメールの内容をリアルタイムで視聴者に伝えることができ、さらに視聴中の画面にクローズドキャプションが表示されている場合でも、当該クローズドキャプションの文字と、受信したメールの文字との重なりを完全に防止することができる。また、クローズドキャプションの文字と、受信したメールの文字が、相互にそれぞれ異なる色で同一画面上に表示されるので、クローズドキャプションの文字と、メールの文字との識別がきわめて容易である。さらに本発明のメール受信機能付きディジタル画像受信装置によれば、クローズドキャプションの文字と、メールの文字のいずれを優先表示させるかを視聴者が任意に選択できるので、視聴者にとって、使い勝手が大幅に改善する。
【発明を実施するための最良の形態】
【００１１】
本発明による具体的な実施形態を、以下、図を参照して説明する。図１は、本発明に係る第１の実施例のメール受信機能付きディジタル画像受信装置１の構成を示すブロック図である。本発明によるメール受信機能付きディジタル画像受信装置１は、アンテナ１０、インターネット回線１２、チューナー２０、復調部３０、映像／音声処理部４０、クローズドキャプション制御部５０、メール検出部６０、メール処理部７０、ＣＰＵ８０、表示制御部９０、優先表示選択部１００、および表示部１１０とから構成される。
【００１２】
ディジタル放送波はアンテナ１０を介して、チューナー２０、復調部３０を経て、分別された映像／音声データが映像／音声処理部４０に送られる。当該映像／音声データを構成するクローズドキャプションのデータが前記映像／音声処理部４０から抽出され、クローズドキャプション制御部５０に送られ、クローズドキャプション表示位置検出部５１によって、当該クローズドキャプションの文字が後述の表示部１１０に表示されるときの表示位置データが検出される。
【００１３】
一方、メールのデータはインターネット回線１２を介して、メール検出部６０に送られ、メールの受信が検出される。受信が検出された当該メールのデータはメール処理部７０に送られ、後述の表示部１１０に文字として表示されるように当該データの処理が行われる。
【００１４】
前記のクローズドキャプション表示位置検出部５１によって検出されたクローズドキャプションの文字が後述の表示部１１０に表示されるときの表示位置データと、前記のメール処理部７０によって処理された受信メールのデータとは、ＣＰＵ８０および表示制御部９０に送られる。
【００１５】
さらに優先表示選択部１００では、後述のメニュー画面において、当該クローズドキャプションの文字と、当該受信メールの文字とのいずれを優先して後述の表示部１１０に表示させるかについての表示優先選択が行われ、その選択結果のデータが前記ＣＰＵ８０および前記表示制御部９０に送られて、表示位置制御部９１によって、当該クローズドキャプションの文字と、当該受信メールの文字とのいずれかを優先して、後述の表示部１１０に表示されるときに相互に重ならないような位置で表示されるように制御が行われる。
【００１６】
前記の表示位置制御部９１で制御されたデータが映像／音声処理部４０に送られ、さらに表示部１１０に送られることによって、当該クローズドキャプションの文字と、当該受信メールの文字とが、相互に重ならないような位置で当該表示部１１０に表示される。
【００１７】
以上のように構成されたメール受信機能付きディジタル画像受信装置１において、以下、図２、図３、及び図４を参照して、本発明によるメール受信機能付きディジタル画像受信装置１の動作を説明する。図２は、本発明の図１に示すメール受信機能付きディジタル画像受信装置１の実施例の動作において、クローズドキャプションの文字と、受信メールの文字とのいずれを優先して表示部１１０に表示させるかを視聴者に選択させるためのメニュー画面である。図３は、本発明の図１に示すメール受信機能付きディジタル画像受信装置１の実施例の動作を説明するフローチャートである。図４は、図２のメニュー画面で選択された表示方法に対応して、表示部１１０に表示される表示画面を示す図である。
【００１８】
先ず、図２のメニュー画面について説明する。図２（ａ）は、クローズドキャプションの文字と、受信メールの文字との重なりを防止する方法として、ノーマル方式とスペシャル方式のいずれかを視聴者に選択させるためのメニュー画面である。ノーマル方式は、メール受信機能付きディジタル画像受信装置１における文字の重なり防止方法のデフォルトとして、クローズドキャプション表示位置検出部５１が検出するクローズドキャプションの表示位置データと相反する表示部１１０の画面上の位置に、メールの文字を表示させるように、予めＣＰＵ８０にプログラムとして組み込まれているものとする。つまり、ノーマル方式では、クローズドキャプションが表示部１１０の画面の下側に表示されるときには、メールの文字が表示部１１０の画面の上側に表示されるようになっており、逆に、クローズドキャプションが表示部１１０の画面の上側に表示されるときには、メールの文字が表示部１１０の画面の下側に表示されるようになっているものとする。一方、図２（ｂ）は、図２（ａ）でスペシャル方式を選択した場合に、さらに、クローズドキャプションを優先させて表示させるようにするか、あるいは、メールを優先させて表示させるようにするかを、視聴者に選択させるためのメニュー画面である。スペシャル方式についても、メール受信機能付きディジタル画像受信装置１における文字の重なり防止方法として、ＣＰＵ８０にプログラムとして組み込まれているものとする。なお、この図２（ａ）および図２（ｂ）に示すメニュー画面の機能は、図１に示す優先表示選択部１００の機能に該当する。
【００１９】
以下、図３のフローチャートに従って、本発明の図１に示すメール受信機能付きディジタル画像受信装置１の実施例の動作を説明する。本発明のディジタル画像受信装置１によりディジタル放送の映画番組が放映されているときに、インターネット回線１２を介してメールが受信されたことをメール検出部６０が検出し、メールの受信がスタートする。当該受信されたメールのデータが表示部１１０に文字として表示されるように、メール処理部７０にて当該データの処理が行われ、当該処理済のデータは表示制御部９０に送られる。
前記メール検出部６０にてメールの受信が検出されると、当該放映中の画面に字幕などのクローズドキャプションが表示されているかどうかが、ステップＳ１で問われる。字幕などのクローズドキャプションが表示されていない場合（ステップＳ１のＮ）、受信メールの処理済みデータが表示制御部９０から映像／音声処理部４０を経て、表示部１１０の所定の位置にメールの文字が表示される（ステップＳ２）。
【００２０】
次にステップＳ３で、受信したメールは先に表示部１１０に表示された内容で終了したかどうかが、問われる。受信メールの表示が終了している場合（ステップＳ３のＹ）、メール受信は終了する。一方、まだ終了していない場合（ステップＳ３のＮ）は、未表示のメールデータを表示部１１０に文字として表示させるために、ステップＳ１に戻って、放映中の画面に字幕などのクローズドキャプションが表示されているかどうかが改めて問われる。
【００２１】
このときの映画の放映画面には、図４（ａ）に示すように、字幕（「こんにちは」、「元気ですか？」）のクローズドキャプションが画面の下側に表示されていたものとする（ステップＳ１のＹ）。次にステップＳ４で、図２（ａ）に示した文字の重なり防止メニュー画面で、スペシャルが選択されていたかどうかが、問われる。ここでは、スペシャル方式が選択されておらず（ステップＳ４のＮ）、ノーマル方式が選択されていた場合について説明する。ノーマル方式が選択されていると、先に説明したとおり、クローズドキャプション表示位置検出部５１が検出するクローズドキャプションの表示位置データと相反する表示部１１０の画面上の位置にメールの文字を表示させるように、デフォルト設定してあるので、図４（ｂ）に示すように、メール受信の文字が画面上の上側に自動的に表示されるので、クローズドキャプションの文字とメールの文字が互いに重ならないように表示される（ステップＳ５）。次に、ステップＳ６で、受信したメールは先に表示部１１０に表示された内容で終了したかどうかが、問われる。
【００２２】
受信メールの表示が終了している場合（ステップＳ６のＹ）、メール受信は終了する。一方、まだ終了していない場合（ステップＳ６のＮ）は、未表示のメールデータを表示部１１０に文字として表示させるために、ステップＳ５に戻って、字幕のクローズドキャプションの文字と、メールの文字との、ノーマル方式による表示が継続される。ここで、映画の放映画面が次に進んで、図４（ｅ）に示すように、字幕（「さよなら」、「またあした」）のクローズドキャプションが画面の上側に表示される場面に移っていたとする。ノーマル方式が選択されているので、先に説明したとおり、クローズドキャプション表示位置検出部５１が検出するクローズドキャプションの表示位置データと相反する表示部１１０の画面上の位置にメールの文字を表示させるように、デフォルト設定してあるので、こんどは図４（ｆ）に示すように、メール受信の文字が画面上の下側に自動的に表示されるので、クローズドキャプションの文字とメールの文字が互いに重ならないように表示される。次に、ステップＳ６で、受信したメールは先に表示部１１０に表示された内容で終了したかどうかが問われることにより、これまで説明したノーマル方式のステップＳ５〜Ｓ６が、受信メールの表示がすべて終了するまで、反復される。
【００２３】
以上のように、ノーマル方式を選択することによって、クローズドキャプションの文字とメールの文字を互いに重ならないように表示部１１０の画面上に表示することができる。しかしながら、図４（ｂ）と図４（ｆ）から容易に分かるとおり、ディジタルテレビ放送の放映画面の遷移によって、字幕などのクローズドキャプションの表示位置に応じて、メールの文字が表示部１１０の画面上の上側に表示されたり、下側に表示されたりするので、視聴者にとって使い勝手が悪い。この問題を解決するために、本発明は、以下に説明するスペシャル方式を提供するものである。スペシャル方式においては、ディジタルテレビ放送の放映画面が遷移して、字幕などのクローズドキャプションの表示位置がどのように変移しても、表示されるメールの文字の表示位置を表示部１１０の画面上の一定の場所に固定してあるので、視聴者は受信したメールを読むときにも、画面上の一定の表示位置だけを目で追えばよく、使い勝手が格段に改善される。以下、本事例においては、受信したメールの表示位置を、表示部１１０の画面上の上側に設定したものとして、説明を続ける。
【００２４】
ここでは、図２（ａ）でスペシャル方式が選択され、さらに図２（ｂ）でクローズドキャプション優先が選択されているものとする。これらの選択された情報は、すべて、優先表示選択部１００からＣＰＵ８０に格納される。スペシャル方式が選択されており（ステップＳ４のＹ）、さらにクローズドキャプション優先が選択されているので（ステップＳ７のＹ）、ステップＳ８に進み、字幕のクローズドキャプションの表示位置データが、クローズドキャプション表示位置検出部５１によって検出される。このときの映画の放映画面は、図４（ａ）に示すように、字幕（「こんにちは」、「元気ですか？」）のクローズドキャプションが画面の下側に表示されているものであり、受信メールの表示位置（表示部１１０の画面上の上側に設定）とは重ならないので（ステップＳ９のＮ）、クローズドキャプション表示位置検出部５１のデータと、メール処理部７０のデータと、優先表示選択部１００のデータとが、ＣＰＵ８０で一括処理されたのち、表示位置制御部９１を含む表示制御部９０から映像／音声処理部４０を経て、表示部１１０に送られることにより、図４（ｃ）に示すように、クローズドキャプションの文字とメールの文字が互いに重ならないように表示される（ステップＳ１１）。
【００２５】
次に、ステップＳ１２で、受信したメールは先に表示部１１０に表示された内容で終了したかどうかが、問われる。受信メールの表示が終了している場合（ステップＳ１２のＹ）、メール受信は終了する。一方、まだ終了していない場合（ステップＳ１２のＮ）は、未表示のメールデータを表示部１１０に文字として表示させるために、ステップＳ８に戻って、改めて字幕のクローズドキャプションの表示位置と、受信したメールの文字の表示位置とが、重なるかどうかが問われる。
【００２６】
ここで、映画の放映画面が次に進んで、図４（ｅ）に示すように、字幕（「さよなら」、「またあした」）のクローズドキャプションが画面の上側に表示される場面に移っていたとする。こんどは、字幕（「さよなら」、「またあした」）のクローズドキャプションと、受信メールの表示位置（表示部１１０の画面上の上側に設定）とが重なってしまうので、表示制御部９０が映像／音声処理部４０に対してメールの文字の表示を禁止する信号を送信する。例えば図４（ｇ）の右上隅に示す進入禁止のマークなどにより、受信メールの存在を示すアイコンのみを表示部１１０の画面上に表示する（ステップＳ１０）。こうすることにより、クローズドキャプションの文字とメールの文字が互いに重なることを防止することができ、かつ、受信メールの存在を視聴者に知らしめることができる。
【００２７】
次にステップＳ９で、再度、クローズドキャプションの文字の表示位置とメールの文字の表示位置が重なるかかどうかが問われ、重ならないと判定されたときに（ステップＳ９のＮ）、上記進入禁止マークで表示された未表示のメールの文字が表示される（ステップＳ１１）。次に、ステップＳ１２で、受信したメールは先に表示部１１０に表示された内容で終了したかどうかが、問われる。受信メールの表示が終了している場合（ステップＳ１２のＹ）、メール受信は終了する。
【００２８】
次に、図２（ａ）ではスペシャル方式が選択されているが、図２（ｂ）でメール優先が選択された場合について、図３のフローチャートを参照しつつ、説明する。これらの選択された情報は、すべて、優先表示選択部１００からＣＰＵ８０に格納される。スペシャル方式が選択されており（ステップＳ４のＹ）、さらにクローズドキャプション優先ではなく、
メール優先が選択されているので（ステップＳ７のＮ）、ステップＳ１３に進み、字幕のクローズドキャプションの表示位置データが、クローズドキャプション表示位置検出部５１によって検出される。メール優先の場合は、本事例においては、表示部１１０の画面上の上側に設定された表示位置に受信したメールの文字を必ず表示するようにしてあるので、クローズドキャプションの文字の表示位置が当該メールの文字の表示位置に重ならないように、表示位置制御部９１によって、クローズドキャプションの表示位置が変更されるようになっている。
【００２９】
このときの映画の放映画面は、図４（ａ）に示すように、字幕（「こんにちは」、「元気ですか？」）のクローズドキャプションが画面の下側に表示されているものであり、受信メールの表示位置（表示部１１０の画面上の上側に設定）とは重ならないので、クローズドキャプション表示位置検出部５１のデータと、メール処理部７０のデータと、優先表示選択部１００のデータとが、ＣＰＵ８０で一括処理されたのち、表示位置制御部９１を含む表示制御部９０から映像／音声処理部４０を経て、表示部１１０に送られることにより、図４（ｄ）に示すように、クローズドキャプションの文字とメールの文字が互いに重ならないように表示される（ステップＳ１４）。
【００３０】
次に、ステップＳ１５で、受信したメールは先に表示部１１０に表示された内容で終了したかどうかが、問われる。受信メールの表示が終了している場合（ステップＳ１５のＹ）、メール受信は終了する。一方、まだ終了していない場合（ステップＳ１５のＮ）は、未表示のメールデータを表示部１１０に文字として表示させるために、ステップＳ１３に戻って、改めて字幕のクローズドキャプションの表示位置が検出される。
【００３１】
ここで、映画の放映画面が次に進んで、図４（ｅ）に示すように、字幕（「さよなら」、「またあした」）のクローズドキャプションが画面の上側に表示される場面に移っていたとする。こんどは、字幕（「さよなら」、「またあした」）のクローズドキャプションと、受信メールの表示位置（表示部１１０の画面上の上側に設定）とが重なってしまうので、表示制御部９０が映像／音声処理部４０に対して、クローズドキャプションの文字の表示位置を受信メールの表示位置と重ならないように、下側にズラして表示する信号を送信する。その結果、図４（ｈ）に示すように、字幕（「さよなら」、「またあした」）のクローズドキャプションの表示位置が、図４（ｅ）と比べて画面の下側にズラして表示されるので、クローズドキャプションの文字とメールの文字が互いに重ならずに、表示することができる（ステップＳ１４）。次に、ステップＳ１５で、受信したメールは先に表示部１１０に表示された内容で終了したかどうかが、問われる。受信メールの表示が終了している場合（ステップＳ１５のＹ）、メール受信は終了する。
【００３２】
以上で、クローズドキャプションの文字の表示位置と受信メールの文字の表示位置とが互いに重ならないようにした、本発明によるメール受信機能付きディジタル画像受信装置１の動作を説明した。
【００３３】
以下、クローズドキャプションの文字の表示位置と受信メールの文字の表示位置とが互いに重ならないようにしたことに加え、さらにクローズドキャプションの文字の表示色と受信メールの文字の表示色とが互いに異なる色で表示させるようにしたメール受信機能付きディジタル画像受信装置２の動作ついて、図５、図６および図７を参照して、説明する。
【００３４】
図５は、本発明に係る第２の実施例のメール受信機能付きディジタル画像受信装置２の構成を示すブロック図である。先に説明した図１に示すメール受信機能付きディジタル画像受信装置１との差異は、クローズドキャプション制御部５０に、クローズドキャプション表示色検出部５２を設けたこと、および、表示制御部９０に、表示色制御部９２を設けたことである。
【００３５】
図５に示す構成によるメール受信機能付きディジタル画像受信装置２においては、ディジタル放送波はアンテナ１０を介して、チューナー２０、復調部３０を経て、分別された映像／音声データが映像／音声処理部４０に送られる。当該映像／音声データを構成するクローズドキャプションのデータが前記映像／音声処理部４０から抽出され、クローズドキャプション制御部５０に送られ、クローズドキャプション表示位置検出部５１によって、当該クローズドキャプションの文字が表示部１１０に表示されるときの表示位置データが検出されるとともに、クローズドキャプション表示色検出部５２によって、当該クローズドキャプションの文字が表示部１１０に表示されるときの表示色データが検出される。
【００３６】
一方、メールのデータはインターネット回線１２を介して、メール検出部６０に送られ、メールの受信が検出される。受信が検出された当該メールのデータはメール処理部７０に送られ、表示部１１０に文字として表示されるように当該データの処理が行われる。
【００３７】
前記のクローズドキャプション表示位置検出部５１によって検出されたクローズドキャプションの文字が後述の表示部１１０に表示されるときの表示位置データと、前記のクローズドキャプション表示色検出部５２によって検出されたクローズドキャプションの文字が表示部１１０に表示されるときの表示色データと、前記のメール処理部７０によって処理された受信メールのデータとは、ＣＰＵ８０および表示制御部９０に送られる。
【００３８】
さらに優先表示選択部１００では、メニュー画面において、当該クローズドキャプションの文字と、当該受信メールの文字とのいずれを優先して後述の表示部１１０に表示させるかについての表示優先選択が行われ、その選択結果のデータが前記ＣＰＵ８０および前記表示制御部９０に送られて、表示位置制御部９１によって、当該クローズドキャプションの文字と、当該受信メールの文字とのいずれかを優先して、表示部１１０に表示されるときに相互に重ならないような位置で表示されるとともに、表示色制御部９２によって、当該クローズドキャプションの文字と、当該受信メールの文字とが、相互に異なる色で表示されるように制御が行われる。
【００３９】
前記の表示位置制御部９１および表示色制御部９２で制御されたデータが映像／音声処理部４０に送られ、さらに表示部１１０に送られることによって、当該クローズドキャプションの文字と、当該受信メールの文字とが、相互に重ならないような位置で、かつ相互に異なる色で、当該表示部１１０に表示される。
【００４０】
図６は、本発明の図５に示すメール受信機能付きディジタル画像受信装置２の実施例の動作を説明するフローチャートである。本発明の図５に示すメール受信機能付きディジタル画像受信装置２の動作を、図６のフローチャートにより説明する。なお先に、図３のフローチャートに基づいて図１に示すメール受信機能付きディジタル画像受信装置１の動作を説明したが、それと重複する部分については省略して説明する。
【００４１】
先の図１に示すメール受信機能付きディジタル画像受信装置１の実施例に関する図３のフローチャートによる動作説明との相違点としては、クローズドキャプションの文字の表示位置と受信メールの文字の表示位置とが互いに重ならないようにしたことに加え、さらにクローズドキャプションの文字の表示色と受信メールの文字の表示色とを互いに異なる色で表示させるようにしたことである。
【００４２】
図７は、本発明の図５に示すメール受信機能付きディジタル画像受信装置２の実施例の動作を説明するための、クローズドキャプションの文字の色情報に対する、メールの文字の色指定を示す表である。本実施例において、クローズドキャプションの文字の表示色は、白、黄色、シアン（水色）、緑、マゼンダ、赤、青、黒の８色であり、図７に示すように、上記８色の色に対応して１〜８の番号が付されているものとする。さらに、ディジタル放送の映画番組の放映中に、クローズドキャプションの文字と、メールの文字とが、表示部１１０の画面上に同時に表示される場合、メールの文字の表示色をクローズドキャプションの文字の表示色とは異なる色を選択するようにしたプログラムがＣＰＵ８０に組み込まれている。例えば、クローズドキャプションの文字の表示色が６番の赤であれば、メールの文字の表示色を６番に１を足した７番と設定して青色で表示させるようにプログラムが組まれているものとする。
【００４３】
メール受信機能付きディジタル画像受信装置２でディジタル放送の映画番組が放映されているときに、インターネット回線１２を介してメールが受信されたことをメール検出部６０が検出し、メールの受信がスタートする。当該受信されたメールのデータが表示部１１０に文字として表示されるように、メール処理部７０にて当該データの処理が行われ、当該処理済のデータは表示制御部９０に送られる。前記メール検出部６０にてメールの受信が検出されると、当該放映中の画面に字幕などのクローズドキャプションが表示されているかどうかが、ステップＳ１０１で問われる。以下、クローズドキャプションが表示されている（ステップＳ１０１のＹ）ものとして、説明を進める。
【００４４】
ここでは、図２（ａ）でスペシャル方式が選択され、さらに図２（ｂ）でクローズドキャプション優先が選択されているものとする。スペシャル方式が選択されており（ステップＳ１０４のＹ）、さらにクローズドキャプション優先が選択されているので（ステップＳ１０７のＹ）、ステップＳ１０８に進み、字幕のクローズドキャプションの表示位置データがクローズドキャプション表示位置検出部５１によって検出され、同時に、字幕のクローズドキャプションの６番の赤という表示色データがクローズドキャプション表示色検出部５２によって検出される。
【００４５】
このときの映画の放映画面は、図４（ａ）に示すように、字幕（「こんにちは」、「元気ですか？」）のクローズドキャプションが画面の下側に表示色が赤で表示されているものとする。受信メールの表示位置（先の図３のフローチャートによる動作説明と同じく、表示部１１０の画面上の上側に設定）とは重ならないので（ステップＳ１０９のＮ）、クローズドキャプション表示位置検出部５１のデータと、クローズドキャプション表示色検出部５２のデータと、メール処理部７０のデータと、優先表示選択部１００のデータとが、ＣＰＵ８０に送られ、当該ＣＰＵ８０は、クローズドキャプション表示色検出部５２で検出された６番の赤に１を足した７番の青でメールの文字を表示するように表示制御部９０の表示色制御部９２に信号を送信する。ＣＰＵ８０ですべてのデータが一括処理されたのち、表示位置制御部９１および表示色制御部９２を含む表示制御部９０から映像／音声処理部４０を経て、表示部１１０に送られることにより、図４（ｃ）に示すように、6番の赤で表示されるクローズドキャプションの文字と、7番の青で表示されるメールの文字とが互いに異なる色で重ならないように表示される（ステップＳ１１１）。
【００４６】
以上、図２（ｂ）でクローズドキャプション優先が選択された場合（ステッぷＳ１０７のＹ）のメール受信機能付きディジタル画像受信装置２の動作について説明したが、図２（ｂ）でメール優先が選択された場合（ステップＳ１０７のＮ）も、その動作は基本的に同じなので、ここでのさらなる動作説明は割愛する。
【００４７】
なお、クローズドキャプションの文字の表示色と、メールの文字の表示色とを、互いに異なる色で表示させることに関する上記の説明では、クローズドキャプションの文字の表示色が１種類だけであることを前提にして説明してきたが、同一の画面にクローズドキャプションの文字の語り手が複数名登場し、その複数の語り手が同時に発言するような場合は、当該同一の画面上に複数のクローズドキャプションが複数の表示位置に複数の表示色で表示されることが考えられる。このような場合、クローズドキャプションの文字の表示色として使用されていない色を、メールの文字の表示色として指定するように、ＣＰＵ８０にプログラムを組み込むことで対応可能であることは、言うまでもない。
【００４８】
以上、本発明の実施例について詳述したが、本発明は上述の実施例に限定されるものではなく、本発明の要旨の範囲内で種々の変形実施が可能である。
【図面の簡単な説明】
【００４９】
【図１】本発明に係る第１の実施例のメール受信機能付きディジタル画像受信装置１の構成を示すブロック図である。
【図２】図２（ａ）および図２（ｂ）は、本発明の図１に示すメール受信機能付きディジタル画像受信装置１の実施例の動作において、クローズドキャプションの文字と、受信メールの文字とのいずれを優先して表示部１１０に表示させるかを視聴者に選択させるためのメニュー画面を示す図である。
【図３】本発明の図１に示すメール受信機能付きディジタル画像受信装置１の実施例の動作を説明するフローチャートである。
【図４】図４（ａ）、図４（ｂ）、図４（ｃ）、図４（ｄ）、図４（ｅ）、図（ｆ）、図４（ｇ）および図４（ｈ）は、図２（ａ）および図２（ｂ）のメニュー画面で選択された表示方法に対応して、表示部１１０に表示される表示画面を説明するための図である。
【図５】本発明に係る第２の実施例のメール受信機能付きディジタル画像受信装置２の構成を示すブロック図である。
【図６】本発明の図５に示すメール受信機能付きディジタル画像受信装置２の実施例の動作を説明するフローチャートである。
【図７】本発明の図５に示すメール受信機能付きディジタル画像受信装置２の実施例の動作を説明するための、クローズドキャプションの文字の色情報に対する、メールの文字の色指定を示す表である。
【符号の説明】
【００５０】
４０    映像／音声処理部
５０    クローズドキャプション制御部
５１    クローズドキャプション表示位置検出部
５２    クローズドキャプション表示色検出部
６０    メール検出部
７０    メール処理部
９０    表示制御部
９１    表示位置制御部
９２    表示色制御部
１００   優先表示選択部
【図１】
2008135910.tif 000003
【図２】
2008135910.tif 000004
【図３】
2008135910.tif 000005
【図４】
2008135910.tif 000006
【図５】
2008135910.tif 000007
【図６】
2008135910.tif 000008
【図７】
2008135910.tif 000009